(57)【要約】  【課題】ウニの侵入を防止すべき施設の脚部や外壁に対して、ウニが這い上がることを防止する容易にして確実な方法及びその方法に用いる簡単な器具の提供。  【解決手段】ウニの侵入を防止すべき施設の脚部もしくは外壁又はこれらに取り付けた防護材に対して、その周囲に、ウニがくぐり抜けることができず、かつウニの管足が届かない程度の間隔を空けて、細くて硬い丸棒を軸にして回転自在の珠を数珠のように連結してなる輪状又は帯状の器具を配置・固定して、当該脚部又は外壁へのウニの這い上がりを防止する方法。この方法に用いるための、回転自在の珠を細くて硬い丸棒を軸にして数珠のように連結してなる輪状又は帯状の器具。これらの器具は、当該脚部もしくは外壁または防護材から放射状に伸ばした複数本のアームによって支持・固定して用いることが好ましい。【選択図】  図２ 
2005095062.tif 000002
【特許請求の範囲】
【請求項１】
ウニの侵入を防止すべき施設の脚部もしくは外壁又はこれらに取り付けた防護材に対して、その周囲に、ウニがくぐり抜けることができず、かつウニの管足が届かない程度の間隔を空けて、細くて硬い丸棒を軸にして回転自在の珠を数珠のように連結してなる輪状の器具を配置・固定し、当該脚部又は外壁へのウニの這い上がりを防止する方法。
【請求項２】
ウニの侵入を防止すべき施設の脚部もしくは外壁又はこれらに取り付けた防護材に対して、その周囲に、ウニがくぐり抜けることができず、かつウニの管足が届かない程度の間隔を空けて、細くて硬い丸棒を軸にして回転自在の珠を数珠のように連結してなる複数個の帯状の器具を、ウニがくぐり抜けることができない程度の間隔を空けて輪状に配置・固定し、当該脚部又は外壁へのウニの這い上がりを防止する方法。
【請求項３】
請求項１又は２の記載のウニの這い上がりを防止する方法において、ウニの侵入を防止すべき施設の脚部もしくは外壁又はこれらに取り付けた防護材から放射状に伸ばした複数本のアームによって当該輪状又は帯状の器具を支持・固定して用いる方法。
【請求項４】
請求項１から３のいずれかに記載のウニの這い上がりを防止する方法において、ウニの侵入を防止すべき施設の脚部もしくは外壁又はこれらに取り付けた防護材と輪状又は帯状の器具との間隔を「ウニの殻径寸法の２分の１以上」に維持する方法。
【請求項５】
細くて硬い丸棒を軸にして回転自在の珠を数珠のように連結してなる輪状の器具であって、ウニの侵入を防止すべき施設の脚部もしくは外壁又はこれらに取り付けた防護材の周囲に、ウニがくぐり抜けることができず、かつウニの管足が届かない程度の間隔を空けて当該器具を配置・固定し、当該脚部又は外壁へのウニの這い上がりを防止するために用いる器具。
【請求項６】
細くて硬い丸棒を軸にして回転自在の珠を数珠のように連結してなる帯状の器具であって、ウニの侵入を防止すべき施設の脚部もしくは外壁又はこれらに取り付けた防護材に対して、ウニがくぐり抜けることができず、かつウニの管足が届かない程度の間隔を空けて複数個の当該器具を輪状に配置・固定し、当該脚部又は外壁へのウニの這い上がりを防止するために用いる器具。
【発明の詳細な説明】
【技術分野】
【０００１】
本発明は、ウニの這い上がりを防止する方法及びその方法に用いる器具に関する。詳しくは、ウニの侵入を防止すべき施設の脚部や外壁に対して、ウニが這い上がることを防止する容易にして確実な方法及びその方法のために用いる簡単な器具に関する。
【背景技術】
【０００２】
ウニ（海胆：sea urchin）は、球形ないし半球形をしたイガグリのような海生動物の総称であり、ナマコやヒトデ等と同様に棘皮動物に分類されている。ウニの硬い殻の表面には多数の棘と共に先端に吸盤を有する多数の管足が突き出ていて、ウニはこの多数の管足と棘を駆使して移動することが知られている。また、ウニは、海藻類を好んで食し、「アリストテレスの提灯」と俗称される口部の咀嚼器官で海藻その他の食物を噛み砕く。
【０００３】
ウニが高密度に生息し、その摂食によって葉状の海藻が生育せずに、磯焼け状態になっている岩礁域は全国各地の沿岸に広く分布している。このような磯焼け地帯では、ウニの侵入を防止し、食害を受けない場を作ることができれば、海藻が着生して海藻を食べるウニやアワビの生産が増加するだけでなく、藻場の形成により多種多様な魚介類の産卵場、幼稚魚の保護育成場、隠れ場、餌料場等として沿岸の漁業資源や多様な生物の保護育成に役立てることができる。このため、従来から、ウニの侵入を防止する技術の開発が試みられてきた。しかし、ウニは、数百本以上もある管足を用いて、細い棒にも容易に這い上がることができるほどの高い移動能力を有するので、その侵入防止は非常に困難である。
【０００４】
これまでに開発されたウニの侵入防止技術には、以下の方法がある。
（１）コンクリートブロック等を積み上げて水深を浅くし、波動を強くする方法
（２）プラスチック製人工海藻を、囲むように海底に設置したり、コンクリートブロック  に巻き付けたりする方法
（３）網地を棒状に丸めてチェーンで海底に止める方法（特開平１０−４８０８号）
（４）ウニの侵入し難い砂地に埋没しない高さのコンクリートブロック等の基質を設置す  る方法
（５）中層に係留した延縄式ロープに海藻を育成する方法
（６）空気を封入した逆Ｕ字溝ブロックを海底に張り巡らす方法（特開昭６２−１６６８  ２号）
【０００５】
上記（１）は、波動流がある程度の強さになると、ウニの摂餌活動が制限されることを利用する方法であるが、凪のときにもウニの摂餌活動を制限するためには水深をかなり浅くしなければならず、建設コストが非常にかかるという欠点がある。
上記（２）は、波によって動く海藻等の物体に叩かれることを嫌うウニの性質を利用する方法であり、上記（１）よりも弱い波でも機能するが、人工海藻がウニの被食や波浪による擦れ等によって劣化することに加えて、藻体を揺らすほどの波がなければ効果が生じ難い。
【０００６】
また、上記（３）は、波によって棒状の網が揺動することによってウニの侵入が防止されるが、上記（２）と同様の問題があるほか、海底との間にできる隙間からウニが侵入してしまったり、強い波で施設が破損してしまうことがある。
上記（４）は、岩盤の上に薄く砂が堆積する領域でなければコンクリートブロック等の基質が埋没してしまうため、適地が限定されるほか、漂砂の影響で透明度が悪くて漁場には適さないことが多く、また、周辺域からウニの幼生が加入してやがて食害されて磯焼け状態になることも少なくない。
【０００７】
上記（５）は、波によって揺れるロープまではなかなかウニが這い上がって来ないことから有効な方法であるが、大型海藻にはロープ上では大きく成長しない種のものが多く、また、激浪によって施設が破損、流失したり、長期にわたって利用できないという問題がある。
さらに、上記（６）は、ウニが空気層へ這い上がって来ない性質を利用した方法であるが、空気が海水に溶けて減少してしまったり、空気層が波によって動揺して流出してしまうために送気手段が必要となり、また、施設が大がかりになってコストがかかり過ぎるという問題がある。
【特許文献１】特開昭６２−１６６８２６号公報
【特許文献２】特開平１０−４８０８号公報
【特許文献３】特開平１０−１０８５８５号公報
【特許文献４】特開２０００−１７５５９１号公報
【非特許文献１】水産工学(Fisheries Engineering) Ｖｏｌ．３６，Ｎｏ．１の７１〜７２頁の報文「ウニの逃避防止用エアポケットフェンスの効果について」（１９９９年）
【非特許文献２】平成１２年度日本水産学会学術講演会講演要旨集「波によって”動く”海藻着生基質の効果に関する予備実験」（川俣茂）
【非特許文献３】平成１４年度日本水産学会学術講演会講演要旨集「基質の性状によるキタムラサキウニの侵入防止効果（川俣茂・古旛淳一）
【発明の開示】
【発明が解決しようとする課題】
【０００８】
上記の状況に鑑み、本発明者は、波が全くない状態であっても長期間にわたって機能すると共に安価なウニの侵入防止方法と侵入防止装置の開発を志向し、特にウニの這い上がりを防止する方法や装置について研究を続けた結果、本発明を完成するに至った。
【０００９】
すなわち、本発明は、海藻着生基質等のウニの侵入を防止すべき施設の脚部や海藻保護育成場等のウニの侵入を防止すべき施設の外壁に対して、ウニが這い上がることを防止する容易にして確実な方法及びその方法に用いる簡単な器具を提供することを課題とする。
【課題を解決するための手段】
【００１０】
上記の課題を解決するための本発明のうち、特許請求の範囲の請求項１に記載する発明は、ウニの侵入を防止すべき施設の脚部もしくは外壁又はこれらに取り付けた防護材に対して、その周囲に、ウニがくぐり抜けることができず、かつウニの管足が届かない程度の間隔を空けて、細くて硬い丸棒を軸にして回転自在の珠を数珠のように連結してなる輪状の器具を配置・固定し、当該脚部又は外壁へのウニの這い上がりを防止する方法である。  
【００１１】
本発明のうち、同請求項２に記載する発明は、ウニの侵入を防止すべき施設の脚部もしくは外壁又はこれらに取り付けた防護材に対して、その周囲に、ウニがくぐり抜けることができず、かつウニの管足が届かない程度の間隔を空けて、細くて硬い丸棒を軸にして回転自在の珠を数珠のように連結してなる複数個の帯状の器具を、ウニがくぐり抜けることができない程度の間隔を空けて輪状に配置・固定し、当該脚部又は外壁へのウニの這い上がりを防止する方法である。
【００１２】
また、同請求項３に記載する発明は、請求項１又は２に記載のウニの這い上がりを防止する方法において、ウニの侵入を防止すべき施設の脚部もしくは外壁又はこれらに取り付けた防護材から放射状に伸ばした複数のアームによって当該輪状又は帯状の器具を支持・固定して用いる方法である。
【００１３】
さらに、同請求項４に記載する発明は、請求項１から３のいずれかに記載のウニの這い上がりを防止する方法において、ウニの侵入を防止すべき施設の脚部もしくは外壁又はこれらに取り付けた防護材と輪状又は帯状の器具との間隔を「ウニの殻径寸法の２分の１以上」に維持する方法である。
【００１４】
また、同請求項５に記載する発明は、細くて硬い丸棒を軸にして回転自在の珠を数珠のように連結してなる輪状の器具であって、ウニの侵入を防止すべき施設の脚部もしくは外壁又はこれらに取り付けた防護材の周囲に、ウニがくぐり抜けることができず、かつウニの管足が届かない程度の間隔を空けて当該器具を配置・固定し、当該脚部又は外壁へのウニの這い上がりを防止するために用いる器具である。
【００１５】
また、同請求項６に記載する発明は、細くて硬い丸棒を軸にして回転自在の珠を数珠のように連結してなる帯状の器具であって、ウニの侵入を防止すべき施設の脚部もしくは外壁又はこれらに取り付けた防護材に対して、ウニがくぐり抜けることができず、かつウニの管足が届かない程度の間隔を空けて複数個の当該器具を輪状に配置・固定し、当該脚部又は外壁へのウニの這い上がりを防止するために用いる器具である。
【発明の効果】
【００１６】
ウニの侵入を防止すべき施設の脚部又は外壁を這い上がってきたウニは、回転自在の珠を数珠のように連結してなる輪状又は帯状の器具にたどりついて、珠にぶら下がることはできるが、その外端からは管足が当該脚部又は外壁へ届かず、しかも、珠が回転自在になっているので、珠に管足をかけると回転してしまい、ウニは珠を乗り越えることができない。したがって、ウニは、当該施設の脚部又は外壁をこれ以上這い上がることができず、当該施設へのウニの侵入が防止される。
【００１７】
本発明によってウニの侵入が防止される結果、全国各地の沿岸に見られる磯焼け状態を解消することができる。また、ウニの食害を受けない藻場を形成することができるので、海藻を常食とするウニやアワビの生産を増加することができる。さらに、海藻繁殖の場が形成されることによって、沿岸の漁業資源や多様な海生生物の保護育成に貢献できる。
【発明を実施するための最良の形態】
【００１８】
本発明に係るウニの這い上がりを防止するために用いる器具は、細くて硬い丸棒を軸にしてこれに複数個の小さな珠を数珠のように回転自在に連結して作った輪状又は帯状の器具であって、ウニの侵入を防止すべき施設の脚部もしくは外壁又はこれらに取り付けた防護材に対して、その周囲に、ウニがくぐり抜けることができず、かつウニの管足が届かない程度の間隔を空けて、当該脚部又は外壁からそれぞれ放射状に伸ばした複数のアームで支持・固定して取り付けることが好ましい。
【００１９】
本発明の器具をウニの侵入を防止すべき施設の脚部又は外壁に対してアームを用いて取り付ける場合、アームとして複数本の細い棒材又は板材（好ましくは、太さ４〜１０ｍｍ程度のもの）を当該脚部又は外壁から放射状に伸ばしてその先端に本発明の器具を固定するとよい。この場合、当該脚部又は外壁と本発明の器具とは、ウニがくぐり抜けることができず、かつウニの管足が届かない程度の間隔を空ける必要がある。この場合、仮に、当該脚部又は外壁と本発明の器具との間隔（すなわち、横方向の間隔）をウニがくぐり抜けることができる程度に広くしても、その間隔を放射状に伸ばした複数本のアームによって縦方向に細かく仕切って区画を形成し、どの区画についてもウニがくぐり抜けることができない大きさにすれば、結果としてウニがくぐり抜けることができない間隔を空けたことになる。また、このようにすると、同時に本発明の器具の外端にウニがたどりついて管足を伸ばしてもウニの侵入を防止すべき施設の脚部又は外壁に届かない程度の間隔を空けることが容易となる。本発明において「ウニがくぐり抜けることができず、かつウニの管足が届かない程度の間隔を空けて」という意味には、複数のアームによって上記の状態に区画することを含む。なお、上記のほか、ウニがくぐり抜けることができないようにする方法として、当該脚部又は外壁と本発明の器具との間隔に複数本のアームを骨として傘のようにキャンバス等の布地を被せて、隙間をなくしてもよいことは勿論である。
【００２０】
本発明に係るウニの這い上がり防止器具は、数珠のように連結した回転自在の珠にぶら下がったウニが管足を伸ばしてもウニの侵入を防止すべき施設の脚部もしくは外壁又はこれらに取り付けた防護材の縁部にウニの管足が届かないように当該器具を十分な間隔を空けて取り付けると共に、ウニが管足を伸ばしても届き難いようにアームを水平方向又は下向き方向に取り付けることが望ましい。
【００２１】
本発明に係るウニの這い上がり防止器具において、珠の軸となる丸棒は、できるだけ細いものであって、しかも、複数の珠の連結重量と回転に耐えることができ、かつ、波又はウニの力で変形しない程度の硬い材質であることが必要である。そのため、直径１〜４ｍｍ程度のステンレス鋼線やアルミ製の針金等を用いることが好ましい。
【００２２】
本発明に係るウニの這い上がり防止器具に用いる珠は、回転軸としての丸棒を通すための孔があけられた回転体で、その外形は円筒形でも球形でも鼓形でもビーズ状でもよい。これらの珠は、丸棒を軸として回転自在となるように、すなわち、ウニがぶら下がったときに働く微小な力によっても丸棒を軸としてすばやく回転するように取り付ける。珠の軸受の隙間と両隣の珠の隙間はできるだけ小さくする方がよい。
【００２３】
また、上記の珠の材質は、特に限定はないが、微小な力がかかっても軸の回りをすばやく回転すること、波による軸との磨耗が少ないこと等を考慮して選定する。硬質塩化ビニール樹脂か又はガラス材で作った珠を用いるのが好ましい。また、珠の大きさは、大きいほど弱い力でも回転が起こりやすくなるが、あまり大きくすると、波力によって壊れやすくなると共に隣り合う珠どうしの摩擦抵抗が大きくなることを考慮して適当な大きさに留める。通常は直径６〜２０ｍｍ程度、長さは２〜１０ｍｍ程度とするのが適当である。
【００２４】
海藻着生基質や海藻保護育成場等のウニの侵入を防止すべき施設の脚部又は外壁には、例えば、円盤状ないし鍔状に形成してウニの侵入をくい止めるための防護材を取り付けてあることが多い。上記のとおり、ウニはその移動能力がきわめて大きいので、このような防護材を設けた程度ではウニの侵入を防止できないが、防護材を設けてある施設の脚部又は外壁では、その防護材を利用すると複数本のアームが取り付け容易となる等、本発明に係る器具の取り付けに役立てることができる。
以下、試験例をもって本発明をさらに説明する。
【試験例１】
【００２５】
（１）試験方法
海水約６０Ｌを入れた６０×４０×４０ｃｍの水槽内に、図１の（イ）に示す試験装置と同（ハ）に示す対照装置を設置して、殻径寸法３６〜５６ｍｍのキタムラサキウニ１０個を収容し、水温１９〜２０℃の条件下で以下の比較試験をおこなった。また、供試したウニの移動能力を確認するために、図１の（ロ）に示すように、３φ×２００ｍｍのステンレス製の１本の丸棒７を水槽内に設置した。試験装置、対照装置、丸棒７には、ウニを誘導させるために褐藻アラメの葉片Ｙをそれぞれ瞬間接着剤で貼り付けた。
図１について詳しく説明すると、１は、２２φ×３００ｍｍの塩ビ製の管からなる円柱である。円柱１には、その底部から１００ｍｍの位置に防護材として塩ビ製の円盤２（厚さ２ｍｍ×５０φ）を嵌めてある。また、試験装置には、円柱１の底部から３２ｍｍの位置に、複数個のプラスチック製ビーズ４・４・・・（直径６．１×長さ８．５ｍｍ：孔径３．３φ）を２φのアルミ製の針金５を軸として数珠のように連結してなる８６φの輪状の器具３を、円柱１の底部から８２ｍｍの位置に円盤２から放射状に伸ばした３本のアーム６・６・６（２φのアルミ製の針金）によって取り付けてある。一方、対照装置には、試験装置と同じ位置に同じ寸法の２φのアルミ製の針金の輪５を同じ方法で取り付けてある。
【００２６】
（２）試験結果
丸棒７には、約３０分後にウニが登り始め、上部の先端まで回転しながら這い上がり、這い上がった後約２時間で貼り付けてある褐藻アラメの葉片Ｙを食べ尽くした。
試験装置の円柱１と対照装置の円柱１には、それぞれ約１５分後にウニが登り始め、円盤２より下の部分の褐藻アラメの葉片Ｙを摂食した。円柱１に登ったウニは、それぞれ円盤２と輪状の器具３（対照装置ではアルミ製の針金の輪５）と３本のアーム６・６・６の隙間から体の一部を出して、通り抜けられる場所を探すように円盤２の裏面を周回した。  試験装置の円盤２を乗り越えたウニは、５日間の試験期間中、全くみられなかった。
対照装置でも、円柱１に取り付いたウニは、最初、試験装置の場合と同様に円柱１と輪状の器具３とアーム６・６・６との隙間を通り抜けようとして動き回ったが、約１５分後には管足を伸ばしてアルミ製の針金５の輪を乗り越えた。この結果、対照装置の円柱１の上部に貼り付けた褐藻アラメの葉片Ｙは約９時間半で全て食べ尽くされた。
【００２７】
（３）所見
上記の試験結果から、本発明に係る「細くて硬い丸棒を軸にして複数の珠を数珠のように回転自在に連結してなる輪状の器具」は、ウニの侵入を防止すべき施設の脚部又は外壁に取り付けると、ウニの這い上がり防止にきわめて有用であることが確認された。また、本発明に係る「ウニの這い上がりを防止する方法」は、ウニの侵入を防止すべき施設の脚部又は外壁に用いると、ウニの侵入防止にきわめて有用であることが確認された。
【００２８】
次いで、本発明によるウニの這い上がり防止機構について、図２〜図３に基づいて説明する。図２〜図３は、いずれも試験例１と同じ装置であって、本発明に係るウニの這い上がり防止方法の説明図である。すなわち、図２〜図３において、１はウニの侵入を防止すべき施設の脚部としての円柱、２は防護材としての円盤、３はビーズ４とアルミ製の針金５で構成された輪状の器具、６は円盤２と輪状の器具３を支持する支柱、Ｇは水底をそれぞれ示す。なお、各図中の輪状の器具３は、説明の都合上、ビーズ４の一部を省略して描いてある。また、各図中のアーム６は、複数本用いているが、説明の都合上、１本だけを描いてある。
図２のＵ１は中型のウニ、図３のＵ２は小型のウニ、図４のＵ３は大型のウニをそれぞれ示す。また、図３において、ａはウニの殻に生えている管足、ｂはその棘を示す。
【００２９】
図２において、中型のウニＵ１は、円盤２と輪状の器具３とアーム６の隙間から体の一部を上方に出して、通り抜けられる場所を探すように円盤２の下面を周回する。このときウニＵ１は、器具３に取り付けてあるビーズ状の珠４に管足ａを付着させるが、珠４に体重を預けようとすると珠４が回転するためにぶら下がることができず、器具３を這い上がることができない。
【００３０】
図３において、小型のウニＵ２は、ビーズ４の下面に管足ａを付着させて反対向きになってぶら下がっているが、ビーズ４が回転してしまい、起き上がることができない。したがって、ウニＵ２は輪状の器具３を這い上がることができない。
【００３１】
大型であって、円柱１と輪状の器具３の間隔に対して十分に大きいウニＵ３の場合（すなわち、円柱１と輪状の器具３との間隔がウニの大きさに比べて小さ過ぎる場合）、ウニは、管足ａを円柱１、円盤２、アーム６のどれかに付着させて体を支えながら器具３の外端から体の一部を出し、その状態で上部の管足ａを伸ばしてアーム６、円盤２又は円柱１の上部のどれかに付着させて、器具３を乗り越えることがある。
そこで、図４のように、大型のウニＵ３であっても、器具３の外端から這い上がることができないように、円柱１と輪状の器具３の間隔をウニの管足が届かない程度の間隔を空ける必要がある。好ましくは、ウニの殻径寸法の２分の１以上の間隔を空けるとよい。例えば、一般に収穫の多いキタムラサキウニの場合、最大の殻径は９ｃｍほどであるから、通常は、円柱１と本発明の器具３との間隔は５ｃｍ程度に設定すればよいことになる。
【００３２】
上記は、本発明に係る輪状の器具をウニの侵入を防止すべき施設の脚部に取り付ける方法について説明したが、輪状の器具をウニの侵入を防止すべき施設の外壁に取り付ける場合も上記と同様にすればよい。また、帯状の器具についても、上記と同様にして用いればよいが、詳しくは、以下の実施例でさらに説明する。
【実施例１】
【００３３】
＜帯状の器具の取り付け例＞
図５は、本発明に係る帯状の器具の取り付け状態の一例を示す平面図であり、図６は、その斜視図である。図５・図６は、２個の帯状の器具31・32を間隔ｓを空けて輪状に取り付けた状態を示す。
図５・図６において、１は、ウニの侵入を防止すべき施設の脚部としての円柱（２２φ：塩化ビニール製）であり、31と32は、それぞれステンレス鋼製の針金５（φ２）を軸として複数個の硬質塩化ビニール製の珠４・４・・（直径４ｍｍ×長さ５ｍｍの円筒状）を回転自在に連結してなる帯状の器具である。61と62は、それぞれ、帯状の器具31と32を支持・固定する長さ５５ｍｍのステンレス鋼製のアーム（φ２）で図示のように屈曲した形状にしてある。アーム61・62は、各５本ずつまとめて、円筒を半分割した形状の板材81と82に図示のように扇状に広げて取り付ける。また、各アーム61・62の先端には帯状の器具31・32を取り付けてあり、板材81と82は円柱１にやや下向きに固定してある。
図５・図６に示すように、帯状の器具31と32は、間隔ｓを空けて輪状を形成するように取り付けるが、この間隔ｓは、ウニがくぐり抜けることができない程度の隙間にする必要がある。本実施例ではｓ＝２０ｍｍ以内が好ましい。勿論、間隔ｓを空けないで帯状の器具31と32を連ねて完全な輪状を形成して使用しても何ら差し支えない。
【産業上の利用可能性】
【００３４】
以上、詳細に説明するとおり、本発明は、簡単な方法と器具を用いることによって、ウニの侵入を防止すべき施設の脚部又は外壁に対してウニが這い上がることを確実に防止できる。したがって、本発明に係る方法と器具を用いることによって、全国各地の沿岸に見られる磯焼け状態を解消することができる。また、ウニの食害を受けない藻場を形成することができるので海藻を餌とするウニやアワビの生産を増加することができる。さらに、海藻繁殖の場が形成されることによって沿岸の漁業資源や多様な海生生物の保護育成に貢献できる。このように本発明は、産業上の利用可能性がきわめて大きい技術である。
【図面の簡単な説明】
【００３５】
【図１】試験例１で用いる試験装置と対照装置の説明図
【図２】中型のウニの侵入を防止する機構の説明図
【図３】小型のウニの侵入を防止する機構の説明図
【図４】大型のウニの侵入を防止するために必要となる脚部と輪状の器具との間隔の説明図
【図５】帯状の器具の取り付け状態説明用の平面図
【図６】帯状の器具の取り付け状態説明用の斜視図
【符号の説明】
【００３６】
１  ウニの侵入を防止すべき施設の脚部としての円柱
２  円柱１に取り付ける保護材としての円盤
３  本発明に係る輪状の器具
31  本発明に係る帯状の器具
32  本発明に係る帯状の器具
４  器具３を構成する珠
５  細い丸棒
６．器具３を取り付けるためのアーム
61．器具31を取り付けるためのアーム
62．器具32を取り付けるためのアーム
７．試験例で用いる丸棒
81  アーム61を支持する板材
82  アーム62を支持する板材
Ｙ．褐藻アラメの葉片
Ｕ１．中型のウニ
Ｕ２．小型のウニ
Ｕ３．大型のウニ
ａ．ウニの管足
ｂ．ウニの棘
Ｇ．水底面
【図１】
2005095062.tif 000003
【図２】
2005095062.tif 000004
【図３】
2005095062.tif 000005
【図４】
2005095062.tif 000006
【図５】
2005095062.tif 000007
【図６】
2005095062.tif 000008